(57)【要約】【課題】後からホール素子駆動回路上で印加電圧調整用抵抗を付加する必要なしに、そのまま実装して一般的駆動電圧の５Ｖ等を印加しても正常動作させることのできる低電圧駆動ホール素子を提供すること。【解決手段】ホール素子チップ１を実装するリードフレーム３上に、ホール素子の駆動電圧調整用チップ抵抗２０をホール素子チップ１と一緒に実装してパッケージする。【選択図】　　　図１
2004063638.tif 000002
【特許請求の範囲】
【請求項１】
ホール素子チップを実装するリードフレーム上に、ホール素子の駆動電圧調整用抵抗をホール素子チップと一緒に実装してパッケージしたことを特徴とするホール素子。
【請求項２】
上記駆動電圧調整用抵抗をホール素子の駆動端子に直列に設け、その抵抗値を、ホール素子に正常な動作電圧がかかる範囲内になるように定めたことを特徴とする請求項１記載のホール素子。
【請求項３】
上記駆動電圧調整用抵抗がチップ抵抗から成ることを特徴とする請求項１又は２記載のホール素子。
【発明の詳細な説明】
【０００１】
【発明の属する技術分野】
本発明は、ＧａＡｓやＩｎＳｂ等の半導体材料を用いた低電圧駆動のホール素子に関するものである。
【０００２】
【従来の技術】
従来の低電圧駆動ホール素子の構造は、図２に示すように、ホール素子チップ１をリードフレーム３に銀ペスト等で搭載した後に、Ａｕワイヤ８でホール素子７内でホール素子チップ１の電極部とリードフレーム３を接続させた後、樹脂等にてパッケージ４に封止した構造となっている。
【０００３】
上記の低電圧駆動ホール素子を、小型モータ等の駆動回路上で磁気センサとして使用する場合に、駆動電圧がホール素子の最大規格電圧よりも高い場合には、印加電圧調整用の抵抗を回路上に実装して使用する。
【０００４】
図３はホール素子の代表的な駆動回路を示したものである。電圧増幅器６の二つの入力端子にホール素子７の二つの出力端子ｃ、ｄが抵抗Ｒ１１、Ｒ１２を介在して接続され、電圧増幅器６の出力端子Ｖｏと入力端子との間に抵抗Ｒ１３を帰還接続して増幅回路を構成している。
【０００５】
一方、ホール素子７は、その駆動端子ａ、ｂの一方ａが抵抗Ｒ２１から成る印加電圧調整用抵抗２を介して正電位の電源端子（印加電源端子５）と接続され、また他方の駆動端子ｂが抵抗Ｒ２２から成る印加電圧調整用抵抗２を介して接地端子に接続されて、所定の駆動電圧によって駆動される。
【０００６】
印加電源端子５に供給される駆動電圧（Ｖｃｃ）は一般的には５Ｖの為に、回路上には５００〜７００Ωの抵抗を実装して駆動電圧を下げてからホール素子７に印加する。
【０００７】
図３中、点線部内の抵抗及びアンプはホール素子７の出力信号であるホール電圧を増幅させるための増幅回路である。
【０００８】
【発明が解決しようとする課題】
ところで、従来の構造の低電圧駆動ホール素子は、その最大定格電圧が約２Ｖ以下のものが多い。
【０００９】
従って、図３に示したホール素子駆動回路へ供給される駆動電圧（Ｖｃｃ）５Ｖを用いる場合には、回路上に印加電圧調整用抵抗２として５００〜７００Ωの抵抗を入れ、駆動電圧を約１Ｖまで下げてから、ホール素子に印加しなければならない。
【００１０】
仮に、印加電圧調整用抵抗２を入れなければ、低電圧駆動ホール素子の場合には感磁部が熱により破壊されてしまい、ホール素子７は正常に動作しなくなる等の問題が発生する。
【００１１】
以上のように、顧客が低電圧駆動ホール素子を使用する場合には、従来の５Ｖの駆動回路にそのままホール素子を搭載することができないために、新規に、より低電圧の駆動回路を作成しなければ使用出来ない、という問題が生じる。
【００１２】
そこで、本発明の目的は、上記課題を解決し、後からホール素子駆動回路上で印加電圧調整用抵抗を付加する必要なしに、そのまま実装して一般的駆動電圧の５Ｖ等を印加しても正常動作させることのできる低電圧駆動ホール素子を提供することにある。
【００１３】
【課題を解決するための手段】
上記目的を達成するため、本発明は、次のように構成したものである。
【００１４】
請求項１の発明に係るホール素子は、ホール素子チップを実装するリードフレーム上に、ホール素子の駆動電圧調整用抵抗をホール素子チップと一緒に実装してパッケージしたことを特徴とする。
【００１５】
請求項２の発明は、請求項１記載のホール素子において、上記駆動電圧調整用抵抗をホール素子の駆動端子に直列に設け、その抵抗値を、ホール素子に正常な動作電圧がかかる範囲内になるように定めたことを特徴とする。
【００１６】
請求項３の発明は、請求項１又は２記載のホール素子において、上記駆動電圧調整用抵抗がチップ抵抗から成ることを特徴とする。
【００１７】
本発明は、ホール素子チップを実装するリードフレーム上に印加電圧調整抵抗を実装した構造としたものであり、この構造とすることにより、ホール素子の駆動回路に駆動電圧調整用の抵抗を設けることを不要とするものである。すなわち、駆動回路上の一般的な電源である例えば５Ｖを直接印加しても正常動作するようになる。
【００１８】
【発明の実施の形態】
以下、本発明を図示の実施形態に基づいて説明する。
【００１９】
図１に本発明の実施形態に係るホール素子を示す。これは、ホール素子チップ１を実装するリードフレーム３上に、ホール素子７の駆動電圧調整用チップ抵抗２０をホール素子チップ１と一緒に実装し、樹脂封止して、パッケージ４としたものであって、次のように構成されている。
【００２０】
先ず、従来ホール素子の製造工程と同様に、リードフレーム３にホール素子チップ１を実装する。
【００２１】
次に、リードフレーム３の印加電圧入力端子（駆動端子）上に印加電圧調整用抵抗２としてのチップ抵抗（印加電圧調整用チップ抵抗）２０を銀ペイストなどで実装する。そして、このチップ抵抗２０と、ホール素子チップ１内の印加電圧入力用電極（駆動端子）をＡｕワイヤ８にて接続する。
【００２２】
その際に、実装するチップ抵抗２０の抵抗値は、リードフレーム３の印加電圧入力端子に所定の駆動電圧（ここではＶｃｃ＝５Ｖ）が印加された場合に、ホール素子７に印加される電圧が正常に動作する許容電圧範囲内に収まるようにしなければならない。もし、ホール素子７に印加される電圧が正常動作範囲以下になるような値の抵抗を用いた場合には、当然ホール素子７が動作しない。逆に、ホール素子７に印加される電圧が高すぎる場合には、ホール素子の感磁部が破壊されてしまい動作しなくなる。仮に動作したとしても信頼性が著しく低下してしまう。
【００２３】
上記の工程以降は、従来ホール素子同様に、樹脂等によりパッケージ４に封止してホール素子が完成する。
【００２４】
本実施形態によるホール素子は、ホール素子を使用する上で、駆動回路上にて印加電圧用の抵抗を入れる必要がないために、一般的な５Ｖ駆動のホール素子用の駆動回路内で直接使用できる。従って、新規にホール素子用の駆動回路用の基板を準備する必要がなく、取り扱い易い製品となる。また、従来のホール素子に印加電圧調整用抵抗を付けたことにより付加価値が高くなり、他社製品に対し差別化を図ることができる。
【００２５】
【発明の効果】
以上説明したように本発明によれば、次のような優れた効果が得られる。
【００２６】
本発明のホール素子によれば、ホール素子チップを実装するリードフレーム上に、ホール素子の駆動電圧調整用抵抗をホール素子チップと一緒に実装してパッケージしたので、従来の外部付加の印加電圧調整用抵抗をさらに設ける必要がない。すなわち、従来のホール素子ではその駆動回路内に別途に設けることが必要であったが、本発明によるホール素子を使用した場合には、従来の外部付加による印加電圧調整用抵抗を設ける必要なしに動作させることができる。
【００２７】
また本発明のホール素子は、駆動電圧調整用抵抗をホール素子の駆動端子に直列に設け、その抵抗値を、ホール素子に正常な動作電圧がかかる範囲内になるように定めたので、従来の外部付加の印加電圧調整用抵抗を不要とし、駆動回路の一般的な例えば５Ｖ電源の回路上で直接使用することができる。また、用途についても従来品と同様の用途に用いることができる。
【図面の簡単な説明】
【図１】本発明による低電圧駆動ホール素子の構造を示す断面図である。
【図２】従来の低電圧駆動ホール素子の構造を示す断面図である。
【図３】従来の低電圧駆動ホール素子の駆動回路図である。
【符号の説明】
１　ホール素子チップ
２　印加電圧調整用抵抗
３　リードフレーム
４　パッケージ
５　電源端子
６　電圧増幅器
７　ホール素子
８　Ａｕワイヤ
２０　印加電圧調整用チップ抵抗
ａ、ｂ　駆動端子
【図１】
2004063638.tif 000003
【図２】
2004063638.tif 000004
【図３】
2004063638.tif 000005